(57)【特許請求の範囲】
【請求項１】
図柄表示装置を備え、始動口への入球検出により、前記図柄表示装置に表示される複数の図柄を変動表示し、前記複数の図柄が当り図柄組合せで表示されることを条件に大当りとなる弾球遊技機において、
前記始動口への入球検出に応じて前記大当りになるか否かを判定する判定手段と、
前記判定手段による判定結果に応じて前記図柄表示装置で停止表示される停止図柄組合せを設定すると共に、変動表示中の前記複数の図柄を前記設定された停止図柄組合せで停止表示する図柄表示制御手段と、
前記図柄表示制御手段による図柄変動表示処理とは別のタイミングで実行される別処理によって、前記停止図柄組合せを作成する図柄組合せ作成ステップと、作成された停止図柄組合せが外れ図柄組合せか否かを判別する図柄組合せ判別ステップと、判別結果がはずれ図柄組合せであれば当該はずれ図柄組合せをはずれ図柄組合せ記憶手段に記憶する図柄組合せ記憶ステップとからなる停止図柄組合せ作成処理手段と、を備え、
前記図柄表示制御手段は、前記判定手段による判定結果がはずれであり、はずれ停止図柄組合せの設定を行う場合には、前記はずれ図柄組合せ記憶手段に記憶されているはずれ図柄組合せを設定し、該はずれ図柄組合せが停止表示されるように制御する一方、前記設定された停止図柄組合せが予め定めたリーチ状態となる場合には、第１のリーチ状態で図柄を変動表示した後、前記第１のリーチ状態におけるはずれ図柄組合せを表示し、その後第２のリーチ状態で図柄を変動表示した後で、前記設定された停止図柄組合せが停止表示されるように制御することを特徴とする弾球遊技機。
【発明の詳細な説明】
【０００１】
【発明の属する技術分野】
本発明は、図柄表示装置を備え、特定口への入球検出により、前記図柄表示装置に表示される複数の図柄を変動表示し、前記複数の図柄が当り図柄で表示されることを条件に大当りとなるパチンコ機に関する。
【０００２】
【従来の技術】
機械式回転ドラムによるスロットマシン状の図柄表示手段を利用したパチンコ機の図柄表示装置は周知である。
【０００３】
また、ドットマトリクスＬＥＤ等からなる図柄表示手段をパチンコ機の遊技盤面に併設し、第１種始動口に配備された入賞検出スイッチ等からの信号を受けて図柄表示手段の各々に複数の図柄を所定時間循環的に変動表示するようにしたパチンコ機の図柄表示装置が、特開平１−１３６６８０号として本出願人により既に提案されている。
【０００４】
これらの図柄表示装置は、図柄の変動表示が終了した時点で各図柄表示手段に表示された図柄が特定の組合わせとなっているか否かにより図柄の当り外れを判定するようにしたものであるが、図柄の変動表示を開始した時点から図柄の変動表示が終了するまでの間、複数の図柄の表示態様が当り図柄の一部を構成する場合には（本明細書においては、複数の図柄の表示態様が当り図柄の一部を構成する場合をリーチ状態ということとする）、遊技者の大当りに対する期待感が高くなる。
【０００５】
従来の遊技機では、図柄表示装置において図柄がリーチ状態となる場合、１回の図柄変動中につき１回だけリーチ状態となるものばかりであった。このため、リーチ状態となった場合には大当りに対する期待感が高くなるものの、リーチ状態が終了した段階で、当りであれば遊技者は満足感と達成感に酔いしれることになるが、当りでないことが判明すると大当りに対する期待感も一気に消滅してしまい、落胆の度合も大きい。
【０００６】
【発明が解決しようとする課題】
本発明の目的は、図柄表示装置においてリーチ状態となったが大当りとならなかった場合に、遊技者の大当りに対する期待感を持続させることができ、遊技の興趣を向上させることが可能となるパチンコ機を提供することにある。
【０００７】
【課題を解決するための手段】
請求項１に記載のパチンコ機は、図柄表示装置を備え、始動口への入球検出により、前記図柄表示装置に表示される複数の図柄を変動表示し、前記複数の図柄が当り図柄組合せで表示されることを条件に大当りとなるものであって、上記課題を解決するために、前記始動口への入球検出に応じて前記大当りになるか否かを判定する判定手段と、前記判定手段による判定結果に応じて前記図柄表示装置で停止表示される停止図柄組合せを設定すると共に、変動表示中の前記複数の図柄を前記設定された停止図柄組合せで停止表示する図柄表示制御手段と、前記図柄表示制御手段による図柄変動表示処理とは別のタイミングで実行される別処理によって、前記停止図柄組合せを作成する図柄組合せ作成ステップと、作成された停止図柄組合せが外れ図柄組合せか否かを判別する図柄組合せ判別ステップと、判別結果がはずれ図柄組合せであれば当該はずれ図柄組合せをはずれ図柄組合せ記憶手段に記憶する図柄組合せ記憶ステップとからなる停止図柄組合せ作成処理手段と、を備え、前記図柄表示制御手段は、前記判定手段による判定結果がはずれであり、はずれ停止図柄組合せの設定を行う場合には、前記はずれ図柄組合せ記憶手段に記憶されているはずれ図柄組合せを設定し、該はずれ図柄組合せが停止表示されるように制御する一方、前記設定された停止図柄組合せが予め定めたリーチ状態となる場合には、第１のリーチ状態で図柄を変動表示した後、前記第１のリーチ状態におけるはずれ図柄組合せを表示し、その後第２のリーチ状態で図柄を変動表示した後で、前記設定された停止図柄組合せが停止表示されるように制御することを特徴とする。
【００１２】
【発明の実施の形態】
以下、本発明の実施の形態を図面を参照して説明する。図２は一実施形態におけるパチンコ機の遊技盤を示す正面図であり、該遊技盤１の略中央部には本発明によるパチンコ機の図柄表示装置の主要部を構成する図柄表示ユニット２が配備され、更に、遊技盤１の中央下部には図柄表示装置における始動信号発生手段の一部を構成する中第１種始動口３が配設されている。
【００１３】
図２において、符号４は左肩入賞口、符号５は右肩入賞口、符号６は左チューリップ式役物、符号７は右チューリップ式役物、符号８はランプ付き風車、符号９は風車、符号１０は装飾表示灯、符号１１はアウト球受口、符号１２は球誘導レール、符号１３は返しゴムであるが、これらの各要素については周知であるから説明を省略する。
【００１４】
図２における符号１４は図柄表示装置に連動する入賞装置であって、その略中央部にはソレノイド等で開閉駆動されるアタッカ状の大入賞口１５が配備され、大入賞口１５の両側には中第１種始動口３と共に始動信号発生手段の一部を構成する左第１種始動口１６と右第１種始動口１７が配設される。中第１種始動口３と左第１種始動口１６および右第１種始動口１７の内部には、始動信号発生手段の主要部を構成する中第１種始動口入賞検出スイッチＳＷ１と左第１種始動口入賞検出スイッチＳＷ２および右第１種始動口入賞検出スイッチＳＷ３の各々が配設されている。
【００１５】
入賞装置１４における大入賞口１５の内部は遊技球振り分け片１８，１９によって３つの入賞領域に区分され、遊技球分け片１８，１９を両側とする中央の入賞領域には、大入賞口１５を連続開放させる役物連続作動装置としての特定領域入賞検出スイッチＳＷ４が設けられている。入賞装置１４の下部には特定領域入賞検出スイッチＳＷ４による大入賞口１５の連続開放回数を数値表示する連続回数表示ＬＥＤ２０と大入賞口１５の１開放動作中の入賞数を数値表示する大入賞口入賞数表示ＬＥＤ２１が配設されている。
【００１６】
なお、大入賞口１５の連続開放動作は図柄表示ユニット２の図柄一致に基く第１回目の開放動作と特定領域入賞検出スイッチＳＷ４の作動による連続開放動作とを合わせて最高１６回までである。大入賞口１５の１開放動作の継続時間は２９．５秒に設定されているが、１開放動作中に大入賞口１５に入賞した遊技球の総数が１０個を越えた場合には、１０個目の入賞検出を以て１開放動作を完了するようになっている。
【００１７】
図１は図柄表示ユニット２を中央で上下に割って示す側断面図であり、該図柄表示ユニット２は、遊技盤面に対して略直角に配備されたドットマトリクスＬＥＤ表示体２２と遊技盤面に対して略平行に配備されたドットマトリクスＬＥＤ表示体２３とからなる図柄表示手段を備え、ドットマトリクスＬＥＤ表示体２３による図柄表示とドットマトリクスＬＥＤ表示体２２による図柄表示の鏡像とが共に遊技盤１の手前から視認できるような位置にハーフミラー２４が配設されている。
【００１８】
図３は略矩形のドットマトリクスＬＥＤ表示体２２の一縁２２ａを上に向けて表示面２２ｂの側からドットマトリクスＬＥＤ表示体２２を示す平面図であり、ドットマトリクスＬＥＤ表示体２２を構成するＬＥＤ素子の１行１列乃至８行８列までの６４素子と１行９列乃至８行１６列までの６４素子および１行１７列乃至８行２４列までの６４素子の各々により、左図柄表示ＬＥＤ（Ｌ）と中図柄表示ＬＥＤ（Ｃ）および右図柄表示ＬＥＤ（Ｒ）が構成され、ドットマトリクスＬＥＤ表示体２２の９行１列乃至１６行２４列までの１２８素子によって上図柄表示ＬＥＤ（Ｕ）が構成されている。
【００１９】
図４はドットマトリクスＬＥＤ表示体２３を遊技盤１の手前から見て示す平面図であり、ドットマトリクスＬＥＤ表示体２３を構成するＬＥＤ素子の１行１列乃至８行８列までの６４素子と１行９列乃至８行１６列までの６４素子および１行１７列乃至８行２４列までの６４素子の各々により、左図柄表示ＬＥＤ（ｌ）と中図柄表示ＬＥＤ（ｃ）および右図柄表示ＬＥＤ（ｒ）が構成されている。
【００２０】
ドットマトリクスＬＥＤ表示体２２およびドットマトリクスＬＥＤ表示体２３とハーフミラー２４は、ドットマトリクスＬＥＤ表示体２３による左，中，右の各図柄表示とドットマトリクスＬＥＤ表示体２２による左，中，右の各図柄表示の鏡像とが重なって見えるような位置に設定される。なお、符号３０はドットマトリクスＬＥＤ表示体２２の表示面を保護する透明カバー部材である。
【００２１】
ドットマトリクスＬＥＤ表示体２３の左，中，右の各図柄表示ＬＥＤ（ｌ），（ｃ），（ｒ）の各々からハーフミラー２４に至る距離はドットマトリクスＬＥＤ表示体２２の左，中，右の各図柄表示ＬＥＤ（Ｌ），（Ｃ），（Ｒ）の各々からハーフミラー２４の反射面に至る距離に比べて短く、遊技盤１の手前からハーフミラー２４を視認した場合、ドットマトリクスＬＥＤ表示体２３の左，中，右の各図柄はドットマトリクスＬＥＤ表示体２２の左，中，右の各図柄よりも手前にあるように見え、また、ドットマトリクスＬＥＤ表示体２２による上図柄表示はドットマトリクスＬＥＤ表示体２３による左，中，右の各図柄表示と干渉しない（図１参照）。
【００２２】
一例として、ドットマトリクスＬＥＤ表示体２２の上図柄表示ＬＥＤ（Ｕ）に“ＢＢ”が表示され、かつ、ドットマトリクスＬＥＤ表示体２３の左，中，右の各図柄表示ＬＥＤ（ｌ），（ｃ），（ｒ）の各々に“７”が表示された場合の視認状態を図５に示す。
【００２３】
図柄表示ユニット２は、その頂部に天入賞口２５を備え、また、ハーフミラー２４の後方下部には文字表示ＬＥＤ２６と記憶数表示ＬＥＤ２７が配設されている。記憶数表示ＬＥＤ２７は図柄の変動表示実行中もしくは大入賞口１５の開放動作実行中に左，右，中第一種始動口１６，３，１７に入賞した遊技球の数を図柄合わせの実行回数として最高４回まで点灯個数で表示し、文字表示ＬＥＤ２６は記憶数表示ＬＥＤ２７の機能を“ＭＥＭＯＲＹ”等の文字表示で遊技者に知らせる。また、図柄表示ユニット２におけるハーフミラー２４の手前に穿設された略矩形の覗き窓２８の上縁にはアーチ型の遊技球振り分け部２９が突設され、遊技球の転動による視認阻害や図柄表示ユニット２内部への不用意な遊技球の侵入を防止している。
【００２４】
図柄表示装置の制御部は図柄表示ユニット２の制御プログラムや表示図柄のデータ等を格納したＲＯＭ３０とデータの一時記憶等に用いられるＲＡＭ３１、および、ＲＯＭ３０の制御プログラムに従って図柄表示ユニット２の各部を駆動制御するＣＰＵ３２によって構成される（図６参照）。なお、ここでいうＲＯＭは書き込みや書き替えの不能な記憶手段を意味するものではない。
【００２５】
左，中，右第１種始動口１６，３，１７に配備された第１種始動口入賞検出スイッチＳＷ１，ＳＷ２，ＳＷ３の各々はスイッチ検出部３３を介してＣＰＵ３２に接続され、また、ドットマトリクスＬＥＤ表示体２２，２３における左，中，右図柄表示ＬＥＤ（Ｌ），（Ｃ），（Ｒ），（ｌ），（ｃ），（ｒ）と上図柄表示ＬＥＤ（Ｕ）の各々は、ＬＥＤ表示回路３４を介してＣＰＵ３２により駆動制御されるようになっている。
【００２６】
ＣＰＵ３２は遊技盤１における入賞装置１４や装飾表示灯１０および連続回数表示ＬＥＤ２０や大入賞口入賞数表示ＬＥＤ２１を始め、文字表示ＬＥＤ２６や記憶数表示ＬＥＤ２７等の駆動制御手段をも兼ねるが、これら各部材の駆動制御方式については周知であるから説明を省略する。なお、符号３５はＣＰＵ３２の処理周期を規定するクロック回路である。
【００２７】
図７は機能実現手段としてのＣＰＵ３２を示す機能ブロック図であり、本実施形態におけるＣＰＵ３２は、乱数発生手段，乱数ホールド手段，組合わせ図柄発生手段，最終表示図柄設定手段，変動図柄差し替え手段および最終判定手段としての機能を有する。最終表示図柄記憶手段，当り図柄記憶手段および外れ図柄記憶手段の各々はＲＡＭ３１によって構成され、また、表示制御手段はＣＰＵ３２とＲＯＭ３０およびＬＥＤ表示回路３４によって構成される。表示図柄設定手段は組合わせ図柄発生手段，最終表示図柄設定手段および変動図柄差し替え手段の各々によって構成されている。
【００２８】
以下、ＲＯＭ３０に格納された制御プログラムの要部を示すフローチャート（図８乃至図２１）を参照して本実施形態における図柄表示装置の処理動作を説明する。なお、図８に示すタスク１の処理と図９に示すタスク２の処理および図１０乃至図２０に示すタスク３の処理と、図２１に示すタスク４の処理は、クロック回路３５からの信号に応じ、ＣＰＵ３２が所定の処理周期（μｓのオーダー）毎略並列的に繰り返し実行するものである。
【００２９】
ＣＰＵ３２は、図８に示すタスク１の処理で所定の処理周期毎に大当り用乱数記憶レジスタＲＡＮ１の値を０乃至２０５の範囲で逐次インクリメントし、大当り用乱数記憶レジスタＲＡＮ１の値が２０５に到達する毎にレジスタＲＡＮ１の値を０に初期化する一方、レジスタＲＡＮ１の値が一巡する度に変動時間用乱数記憶レジスタＲＡＮ２の値を０と１との間で循環的に切り替え（ステップａ１〜ステップａ６）、更に、左，中，右第１種始動口入賞検出スイッチＳＷ１，ＳＷ２，ＳＷ３からの入賞検出信号が入力される毎に、未使用の確定乱数記憶レジスタＲｉに大当り用乱数記憶レジスタＲＡＮ１の現在値を記憶する（ステップａ７〜ステップ１３）。ＣＰＵ３２は第１種始動口１６，３，１７への入賞を検出する毎に、検索指標ｉの値に基いて記憶状態識別フラグＦｉが未設定の確定乱数記憶レジスタＲｉを検出し、この確定乱数記憶レジスタＲｉに大当り用乱数記憶レジスタＲＡＮ１の現在値を記憶して記憶状態識別フラグＦｉを設定するから、図２２（ａ）に示されるように、確定乱数記憶レジスタＲｉには入賞検出時点でのＲＡＮ１の現在値が最高４個まで記憶されることになる。
【００３０】
大当り用乱数記憶レジスタＲＡＮ１の値は所定の処理周期毎に法則的に変化するが、左，中，右第１種始動口１６，３，１７への入賞検出タイミングとＲＡＮ１の現在値との間には何の因果関係もないので、入賞検出時点でのＲＡＮ１の現在値を乱数として使用することができる。また、ＲＡＮ１の値は０乃至２０５の範囲で１刻みに変化するが、２０５に達したＲＡＮ１の値は上流側の処理で直ちに初期化されるので、入賞検出時点の処理で２０５という値が検出されることはない。
【００３１】
即ち、大当り用乱数記憶レジスタＲＡＮ１は０乃至２０４を値域として乱数を連続的に発生する乱数発生手段であり、確定乱数記憶レジスタＲｉは、始動信号発生手段としての左，中，右第１種始動口入賞検出スイッチＳＷ１，ＳＷ２，ＳＷ３からの入賞検出信号を受けて乱数発生手段ＲＡＮ１の現在値を記憶する乱数ホールド手段である（図７参照）。この実施形態では大当り用乱数記憶レジスタＲＡＮ１の値域を設定するための比較値を２０５に決めているが、この値は固定的なものではなく、プログラム中のパラメータを変更することにより任意の値に再設定することができる。また、比較値を任意に設定するためのディップスイッチ等を制御基板に配設し、電源投入時の初期化処理でディップスイッチ等の設定値を読込み、この値を比較値としてＲＡＭ３１に格納するようにしてもよい。
【００３２】
図９に示すタスク２の処理は左図柄データ記憶レジスタｒ０，中図柄データ記憶レジスタｒ１，右図柄データ記憶レジスタｒ２，上図柄データ記憶レジスタｒ３の各々に記憶される内部処理指標の値を逐次変化させて当り図柄の組合わせと外れ図柄の組合わせをランダムに作成するためのもので、ＣＰＵ３２はステップｂ１乃至ステップｂ１２の処理で、左，中，右，上図柄データ記憶レジスタｒ０乃至ｒ３の各々に記憶する内部処理指標の値を処理周期毎に逐次個別に変化させることにより、図柄表示可能な全ての組合わせ図柄を作成し、当該処理周期で作成された内部処理指標の組合わせが当り図柄に関するものであるか外れ図柄に関するものであるかを判別して（ステップｂ１３）、当り図柄であれば各内部処理指標の現在値を左，中，右，上大当たり図柄データ記憶レジスタｒ０ａ乃至ｒ３ａの各々に格納し（ステップｂ１４）、また、当該処理周期で作成された内部処理指標の組合わせが外れ図柄に関するものであれば各内部処理指標の現在値を左，中，右，上外れ図柄データ記憶レジスタｒ０ｂ乃至ｒ３ｂの各々に格納する（ステップｂ１５）。
【００３３】
従って、左，中，右，上大当たり図柄データ記憶レジスタｒ０ａ乃至ｒ３ａの各々には大当り図柄に関する内部処理指標の値のみが逐次変化して更新記憶され、また、左，中，右，上外れ図柄データ記憶レジスタｒ０ｂ乃至ｒ３ｂの各々には外れ図柄に関する内部処理指標の値のみが逐次変化して更新記憶されることとなる。即ち、左，中，右，上図柄データ記憶レジスタｒ０乃至ｒ３の各々は実質上の組合わせ図柄発生手段であり、当り図柄記憶手段と外れ図柄記憶手段の各々は左，中，右，上大当たり図柄データ記憶レジスタｒ０ａ乃至ｒ３ａと左，中，右，上外れ図柄データ記憶レジスタｒ０ｂ乃至ｒ３ｂで構成されている（図７参照）。
【００３４】
図柄データ記憶レジスタｒ０，ｒ１，ｒ２，ｒ３に記憶される内部処理指標の値と図柄の関係は表１乃至表４に示す通りであって、左，中，右，上の各表示指標ｉｌ，ｉｃ，ｉｒ，ｉｕと図柄との関係に等しい。左図柄および中図柄に関する内部処理指標の取り得る値は０乃至１４であり（表１および表２参照）、また、右図柄に関する内部処理指標の取り得る値は０乃至１５であって（表３参照）、上図柄に関する内部処理指標の取り得る値は０乃至３である（表４参照）。従って、図柄表示可能な全ての組合わせ図柄を一巡して作成するためには１５２・１６・４回の処理周期が必要とされる。
【００３５】
【表１】
0003636296.tif 000002
【００３６】
【表２】
0003636296.tif 000003
【００３７】
【表３】
0003636296.tif 000004
【００３８】
【表４】
0003636296.tif 000005
【００３９】
また、大当りとなる図柄の組合わせは表５に示す通りであって、左，中，右の図柄が全て一致した場合には上図柄の如何を問わず大当りの図柄組合わせとなり、また、左および中図柄の数字が一致した場合には、右図柄の数字が左および中図柄の数字よりも１つだけ小さく（但し、左および中図柄が“０”で一致した場合には右図柄が“９”の時）、かつ、上図柄の表示が“＋１”となった時にのみ大当りの図柄組合わせとなる。
【００４０】
【表５】
0003636296.tif 000006
【００４１】
即ち、左，中，右，上大当たり図柄データ記憶レジスタｒ０ａ乃至ｒ３ａに記憶される図柄の組合わせは表５に示される組合わせ図柄のうちのいずれかであり、それ以外の組合わせは全て左，中，右，上外れ図柄データ記憶レジスタｒ０ｂ乃至ｒ３ｂに記憶されることになる。よって、機械式回転ドラムのように各図柄を完全に無作為に変動表示して大当りがでる確率は、当り図柄の組合わせ数を図柄の総組合わせ数で除した値７０／１４４００となるが、実施形態においては、左，中，右第１種始動口１６，３，１７への入賞検出時点でセットされた確定乱数記憶レジスタＲｉの値と設定値との関係に基いて変動表示停止時に表示する図柄を選択するようにしているので、大当りの発生確率は各図柄の組合わせ発生確率等と無関係に任意に設定することができる。なお、レジスタｒ０ａ乃至ｒ３ａ，レジスタｒ０ｂ乃至ｒ３ｂ，レジスタｒ０乃至ｒ３の各値は内部処理指標の値を示すものであって、実際の変動表示に用いられる表示指標ｉｌ，ｉｃ，ｉｒ，ｉｕの現在値とは無関係である。
【００４２】
図１０乃至図２０に示すタスク３の処理は主に図柄の変動表示に関するものである。
【００４３】
タスク３の処理を開始したＣＰＵ３２は、まず、左，中，右第１種始動口１６，３，１７への入賞検出に基く新規の図柄変動表示の開始が可能であるか否かを状態記憶フラグＦａに１もしくは２が設定されているか否かにより検出する（ステップｃ１，ステップｃ２）。状態記憶フラグＦａの値が１であれば図柄変動表示の実行中であり、また、状態記憶フラグＦａの値が２であれば大入賞口１５の開放動作の実行中であって、いずれの場合にも新規の図柄変動表示の開始は不能である。なお、状態記憶フラグＦａの値が１の時はＣＰＵ３２はタスク３の処理で図柄の変動表示を継続して実行し、また、状態記憶フラグＦａの値が２の場合には、実質上、タスク３の処理が非実行とされる。
【００４４】
また、状態記憶フラグＦａが１および２以外の値であれば図柄の変動表示も大入賞口１５の開放動作も行われていないので、新規の図柄変動が開始可能な状態にある（初期段階ではＦａ＝０）。
【００４５】
この場合、ＣＰＵ３２は、まず、記憶状態識別フラグＦ０に１がセットされているか否か、即ち、タスク１の処理で左，中，右第１種始動口１６，３，１７への入賞が既に検出されているか否かを判別する（ステップｃ３）。
【００４６】
左，中，右第１種始動口１６，３，１７への入賞が検出されていれば、入賞検出時点における大当り用乱数記憶レジスタＲＡＮ１の値がタスク１の処理で確定乱数記憶レジスタＲｉに記憶され、かつ、確定乱数記憶レジスタＲｉに対応した記憶状態識別フラグＦｉに１がセットされるが、この時、ＣＰＵ３２は左，中，右第１種始動口１６，３，１７への入賞が検出される毎にｉ＝０〜３の順で確定乱数記憶レジスタＲｉに乱数を記憶してゆくので、記憶状態識別フラグＦ０に１がセットされていれば、左，中，右第１種始動口１６，３，１７への入賞が少なくとも１回は検出されていることを意味する（ステップａ７〜ステップａ１３参照）。
【００４７】
そして、記憶状態識別フラグＦ０に１がセットされていれば、ＣＰＵ３２はステップｃ４に移行し、状態記憶フラグＦａに１をセットして変動表示の開始を記憶し、変動表示の選択処理を規定する変動状態記憶フラグＦｂに０をセットして（ステップｃ５）、ｔａ乃至ｔｇのパラメータに予め決められた値を設定することになる（ステップｃ６）。ｔａ乃至ｔｇは、図２３に示すように、左，中，右の各図柄の変動速度の切り替え時間を示す値である。
【００４８】
左，中，右の各図柄の変動速度の切り替え時間を設定したＣＰＵ３２は、次いで、ドットマトリクスＬＥＤ表示体２２の左，中，右，上の各図柄表示ＬＥＤ（Ｌ），（Ｃ），（Ｒ），（Ｕ）の各々に表示すべき図柄を示す表示指標ｉｌ，ｉｃ，ｉｒ，ｉｕの値を連続的にインクリメントして各図柄を高速変動させる処理を開始し（ステップｃ７）、タイマＴを作動させて変動表示開始後の経過時間の測定を開始する（ステップｃ８）。なお、実際の図柄送りは各図柄表示ＬＥＤ（Ｌ），（Ｃ），（Ｒ），（Ｕ）の各行の表示出力を数行ずつ所定周期毎に切り替えることにより、あたかも図柄が上下に流れるように連続的に行われるが、この点に関しては、ＬＥＤ素子等を用いた表示技術として周知であるから説明を省略する。実質的な表示制御手段はＣＰＵ３２と各表示指標ｉｌ，ｉｃ，ｉｒ，ｉｕおよびＬＥＤ表示回路３４により構成される（図７参照）。
【００４９】
次周期以降の処理では既に状態記憶フラグＦａに１がセットされているから、表示制御手段としてのＣＰＵ３２はステップｃ１の判別処理実行後ステップｃ９に移行し、以下、変動状態記憶フラグＦｂの現在値０に応じて、変動表示開始後の経過時間Ｔが設定値ｔａに達するまでの間、ステップｃ１およびステップｃ９乃至ステップｃ１０の判別処理と左，中，右，上の各図柄表示ＬＥＤ（Ｌ），（Ｃ），（Ｒ），（Ｕ）の高速変動に関するステップｃ１１の処理を所定の処理周期で繰り返し実行することとなる。
【００５０】
このようにして各図柄の高速変動処理を繰り返し実行する間に変動表示開始後の経過時間Ｔが設定値ｔａに達すると（ステップｃ１０）、ＣＰＵ３２は乱数ホールド手段である確定乱数記憶レジスタＲ０の値を読み込んで確定値記憶レジスタＲａに格納し（ステップｃ１２）、図２２（ｂ）に示されるように、記憶状態識別フラグＦ１乃至Ｆ３および確定乱数記憶レジスタＲ１乃至Ｒ３のデータを記憶状態識別フラグＦ０乃至Ｆ２および確定乱数記憶レジスタＲ０乃至Ｒ２に順次シフトして、記憶状態識別フラグＦ３および確定乱数記憶レジスタＲ３に０をセットする（ステップｃ１３）。
【００５１】
次いで、ＣＰＵ３２は、確定値記憶レジスタＲａの値が設定値７と一致するか否か、即ち、今回の図柄変動処理の開始刺激となった左，中，右第１種始動口１６，３，１７への入賞検出時にホールドされた乱数の値が大当りに対応する設定値と一致するか否かを判別し（ステップｃ１４）、確定値記憶レジスタＲａの値が設定値と一致すれば、当り図柄記憶手段である左，中，右，上大当たり図柄データ記憶レジスタｒ０ａ乃至ｒ３ａの各値を左，中，右，上表示図柄記憶レジスタｒ０ｃ乃至ｒ３ｃに格納する一方（ステップｃ１５）、確定値記憶レジスタＲａの値が設定値と一致しなければ、外れ図柄記憶手段である左，中，右，上外れ図柄データ記憶レジスタｒ０ｂ乃至ｒ３ｂの各値を左，中，右，上表示図柄記憶レジスタｒ０ｃ乃至ｒ３ｃの各々に格納して（ステップｃ１６）、変動停止時に各図柄表示ＬＥＤに表示すべき図柄を確定する。即ち、左，中，右，上表示図柄記憶レジスタｒ０ｃ乃至ｒ３ｃの各々は最終表示図柄記憶手段であって、ＣＰＵ３２によるステップｃ１２およびステップｃ１４乃至ステップｃ１６の処理は最終表示図柄設定手段に対応する（図７参照）。
【００５２】
次いで、ＣＰＵ３２は、左図柄表示ＬＥＤ（Ｌ）の変動停止時間ｔｃ時に左表示図柄記憶レジスタｒ０ｃの内部処理指標に対応する図柄が表示されるように左図柄に関する表示指標ｉｌの値を設定変更して（ステップｃ１７）、左図柄表示ＬＥＤ（Ｌ）の変動速度を高速変動から中速変動に切り替えると共に（ステップｃ１８）、変動状態記憶フラグＦｂに１をセットして（ステップｃ１９）、この周期の処理を終了する。
【００５３】
ｔａ時における左図柄表示ＬＥＤ（Ｌ）の表示指標ｉｌの値は自明でないが、左図柄表示ＬＥＤ（Ｌ）の中速変動時間ｔｂ−ｔａ＝Ａの値と左図柄表示ＬＥＤ（Ｌ）の低速変動時間ｔｃ−ｔｂ＝Ｂの値は予め設定されており、また、左図柄表示ＬＥＤ（Ｌ）の中速変動時速度と低速変動速度の各々は一定であるから、左図柄表示ＬＥＤ（Ｌ）の変動停止時間ｔｃ時に左図柄表示ＬＥＤ（Ｌ）に表示すべき図柄の表示指標ｒ０ｃの情報のみに基いて、表示指標ｉｌの設定変更値を求めることができる。
【００５４】
実施形態の処理タイミングによれば、高速変動から中速変動への切り替えに際し、表示指標ｉｌの現在値が変動停止時に左図柄表示ＬＥＤ（Ｌ）に表示すべき図柄の表示指標ｒ０ｃよりも２図柄前の表示指標となるようにｉｌの値を設定変更することにより、変動停止時にｒ０ｃの図柄を得ることができる。即ち、ＣＰＵ３２によるステップｃ１７の処理は変動図柄差し替え手段を構成する（図７参照）。
【００５５】
次周期以降の処理では、ＣＰＵ３２はステップｃ１およびステップｃ９の判別処理実行後ステップｃ２０に移行し、以下、変動状態記憶フラグＦｂの現在値１に応じて、変動表示開始後の経過時間Ｔが設定値ｔｂに達するまでの間、ステップｃ１，ステップｃ９およびステップｃ２０乃至ステップｃ２１の判別処理と、左図柄表示ＬＥＤ（Ｌ）の中速変動に関する処理および中，右，上の各図柄表示ＬＥＤ（Ｃ），（Ｒ），（Ｕ）の高速変動に関するステップｃ２２の処理を所定の処理周期で繰り返し実行することとなる。
【００５６】
このようにして各図柄の変動処理を繰り返し実行する間に変動表示開始後の経過時間Ｔが設定値ｔｂに達すると（ステップｃ２１）、ＣＰＵ３２は左図柄表示ＬＥＤ（Ｌ）の変動速度を中速変動から低速変動に切り替えると共に（ステップｃ２３）、変動状態記憶フラグＦｂに２をセットして（ステップｃ２４）、この周期の処理を終了する。
【００５７】
次周期以降の処理では変動状態記憶フラグＦｂの値が２となるから、ＣＰＵ３２はステップｃ１，ステップｃ９，ステップｃ２０の判別処理実行後ステップｃ２５に移行し、以下、変動状態記憶フラグＦｂの現在値２に応じて、変動表示開始後の経過時間Ｔが設定値ｔｃに達するまでの間、ステップｃ１，ステップｃ９，ステップｃ２０およびステップｃ２５乃至ステップｃ２６の判別処理と、左図柄表示ＬＥＤ（Ｌ）の低速変動に関する処理および中，右，上の各図柄表示ＬＥＤ（Ｃ），（Ｒ），（Ｕ）の高速変動に関するステップｃ２７の処理を所定の処理周期で繰り返し実行することとなる。
【００５８】
そして、経過時間Ｔが設定値ｔｃに達したことがステップｃ２６の判別処理で検出されると、ＣＰＵ３２は左図柄表示ＬＥＤ（Ｌ）の低速変動を停止し（ステップｃ２８）、変動状態記憶フラグＦｂに３をセットして（ステップｃ２９）、この周期の処理を終了する。左図柄表示ＬＥＤ（Ｌ）の低速変動が停止された時点で、左図柄表示ＬＥＤ（Ｌ）には、左表示図柄記憶レジスタｒ０ｃに記憶された指標に対応する図柄が静止表示されることとなるが、外部ノイズ等の影響で正常な表示制御が阻害されたりすると、変動表示停止時に別の図柄が表示される場合もある。このような場合であっても、表示指標ｉｌの値に基いてＲＯＭ３１から読込まれたデータに基いて図柄が表示されることにかわりはないから、表示指標ｉｌの値と左図柄との関係は常に確保される。
【００５９】
次周期以降の処理では変動状態記憶フラグＦｂの値が３となるから、ＣＰＵ３２はステップｃ１，ステップｃ９，ステップｃ２０，ステップｃ２５，ステップｃ３０の判別処理実行後ステップｃ３１に移行し、以下、変動状態記憶フラグＦｂの現在値３に応じて、変動表示開始後の経過時間Ｔが設定値ｔｄに達するまでの間、ステップｃ１，ステップｃ９，ステップｃ２０，ステップｃ２５およびステップｃ３０乃至ステップｃ３１の判別処理と、中，右，上の各図柄表示ＬＥＤ（Ｃ），（Ｒ），（Ｕ）の高速変動に関するステップｃ３２の処理を所定の処理周期で繰り返し実行することとなる。
【００６０】
そして、経過時間Ｔが設定値ｔｄに達したことがステップｃ３１の判別処理で検出されると、ＣＰＵ３２は、中図柄表示ＬＥＤ（Ｃ）の変動停止時間ｔｆ時に中表示図柄記憶レジスタｒ１ｃの内部処理指標に対応する図柄が表示されるように中図柄に関する表示指標ｉｃの値を設定変更して（ステップｃ３３）、中図柄表示ＬＥＤ（Ｃ）の変動速度を高速変動から中速変動に切り替えると共に（ステップｃ３４）、変動状態記憶フラグＦｂに４をセットして（ステップｃ３５）、この周期の処理を終了する。
【００６１】
中図柄表示ＬＥＤ（Ｃ）の中速変動時間ｔｅ−ｔｄ＝Ａの値と低速変動時間ｔｆ−ｔｅ＝Ｂの値は左図柄表示ＬＥＤ（Ｌ）の場合と同様であるから、表示指標ｉｃの設定変更に関する条件も左図柄表示ＬＥＤ（Ｌ）の場合と同様であり、高速変動から中速変動への切り替えに際し、表示指標ｉｃの現在値が変動停止時に中図柄表示ＬＥＤ（Ｃ）に表示すべき図柄の表示指標ｒ１ｃよりも２図柄前の表示指標となるようにｉｃの値を設定変更することにより、変動停止時にｒ１ｃの図柄を得ることができる。即ち、ＣＰＵ３２によるステップｃ３３の処理は変動図柄差し替え手段の一部を構成する（図７参照）。
【００６２】
次周期以降の処理では変動状態記憶フラグＦｂの値が４となるから、ＣＰＵ３２はステップｃ１，ステップｃ９，ステップｃ２０，ステップｃ２５，ステップｃ３０，ステップｃ３６の判別処理実行後ステップｃ３７に移行し、以下、変動状態記憶フラグＦｂの現在値４に応じて、変動表示開始後の経過時間Ｔが設定値ｔｅに達するまでの間、ステップｃ１，ステップｃ９，ステップｃ２０，ステップｃ２５，ステップｃ３０およびステップｃ３６乃至ステップｃ３７の判別処理と、中図柄表示ＬＥＤ（Ｃ）の中速変動に関する処理および右，上の各図柄表示ＬＥＤ（Ｒ），（Ｕ）の高速変動に関するステップｃ３８の処理を所定の処理周期で繰り返し実行することとなる。
【００６３】
このようにして各図柄の変動処理を繰り返し実行する間に変動表示開始後の経過時間Ｔが設定値ｔｅに達すると（ステップｃ３７）、ＣＰＵ３２は中図柄表示ＬＥＤ（Ｃ）の変動速度を中速変動から低速変動に切り替えると共に（ステップｃ３９）、変動状態記憶フラグＦｂに５をセットして（ステップｃ４０）、この周期の処理を終了する。
【００６４】
次周期以降の処理では変動状態記憶フラグＦｂの値が５となるから、ＣＰＵ３２はステップｃ１，ステップｃ９，ステップｃ２０，ステップｃ２５，ステップｃ３０，ステップｃ３６，ステップｃ４１の判別処理実行後ステップｃ４２に移行し、以下、変動状態記憶フラグＦｂの現在値５に応じて、変動表示開始後の経過時間Ｔが設定値ｔｆに達するまでの間、ステップｃ１，ステップｃ９，ステップｃ２０，ステップｃ２５，ステップｃ３０，ステップｃ３６およびステップｃ４１乃至ステップｃ４２の判別処理と、中図柄表示ＬＥＤ（Ｃ）の低速変動に関する処理および右，上の各図柄表示ＬＥＤ（Ｒ），（Ｕ）の高速変動に関するステップｃ４３の処理を所定の処理周期で繰り返し実行することとなる。
【００６５】
そして、経過時間Ｔが設定値ｔｆに達したことがステップｃ４２の判別処理で検出されると、ＣＰＵ３２は中図柄表示ＬＥＤ（Ｃ）の低速変動を停止し（ステップｃ４４）、変動状態記憶フラグＦｂに６をセットして（ステップｃ４５）、この周期の処理を終了する。中図柄表示ＬＥＤ（Ｃ）の低速変動が停止された時点で、中図柄表示ＬＥＤ（Ｃ）には、中表示図柄記憶レジスタｒ１ｃに記憶された指標に対応する図柄が静止表示されることとなる。また、外部ノイズ等の影響で正常な表示制御が阻害された場合であっても、表示指標ｉｃの値と中図柄との関係は常に確保される。
【００６６】
次周期以降の処理では変動状態記憶フラグＦｂの値が６となるから、ＣＰＵ３２はステップｃ１，ステップｃ９，ステップｃ２０，ステップｃ２５，ステップｃ３０，ステップｃ３６，ステップｃ４１，ステップｃ４６の判別処理実行後ステップｃ４７に移行し、以下、変動状態記憶フラグＦｂの現在値６に応じて、変動表示開始後の経過時間Ｔが設定値ｔｇに達するまでの間、ステップｃ１，ステップｃ９，ステップｃ２０，ステップｃ２５，ステップｃ３０，ステップｃ３６，ステップｃ４１およびステップｃ４６乃至ステップｃ４７の判別処理と、右，上の各図柄表示ＬＥＤ（Ｒ），（Ｕ）の高速変動に関するステップｃ４８の処理を所定の処理周期で繰り返し実行することとなる。
【００６７】
そして、経過時間Ｔが設定値ｔｇに達したことがステップｃ４７の判別処理で検出されると、ＣＰＵ３２は、左図柄表示ＬＥＤ（Ｌ）の表示指標ｉｌの現在値と中図柄表示ＬＥＤ（Ｃ）の表示指標ｉｃの現在値とが一致しているか否か、即ち、最終的に表示された左図柄表示ＬＥＤ（Ｌ）の停止図柄と中図柄表示ＬＥＤ（Ｃ）の停止図柄とが一致しているか否かを判別し（ステップｃ４９）、左図柄表示ＬＥＤ（Ｌ）の停止図柄と中図柄表示ＬＥＤ（Ｃ）の停止図柄との一致不一致に応じて、ｔｇ時以降の図柄変動処理に必要とされる各種のデータを設定することとなる。
【００６８】
まず、ステップｃ４９の判別結果が偽となった場合、即ち、左図柄表示ＬＥＤ（Ｌ）の停止図柄と中図柄表示ＬＥＤ（Ｃ）の停止図柄とが一致していず、大当りの発生する確率が皆無の場合には、ＣＰＵ３２は、右，上各図柄の変動速度の切り替え時間を示すｔｈ乃至ｔｌのパラメータに予め決められた値を設定した後（ステップｃ５０）、右図柄表示ＬＥＤ（Ｒ）の変動停止時間ｔｉ時に右表示図柄記憶レジスタｒ２ｃの内部処理指標に対応する図柄が表示されるように右図柄に関する表示指標ｉｒの値を設定変更して（ステップｃ５１）、右図柄表示ＬＥＤ（Ｒ）の変動速度を高速変動から中速変動に切り替えると共に（ステップｃ５６）、変動状態記憶フラグＦｂに７をセットして（ステップｃ５７）、この周期の処理を終了する。
【００６９】
右図柄表示ＬＥＤ（Ｒ）の中速変動時間ｔｈ−ｔｇ＝Ｃの値と右図柄表示ＬＥＤ（Ｒ）の低速変動時間ｔｉ−ｔｈ＝Ｄの値は固定的であるから、右図柄表示ＬＥＤ（Ｒ）の変動停止時間ｔｉ時に右図柄表示ＬＥＤ（Ｒ）に表示すべき図柄の表示指標ｒ２ｃの情報のみに基いて、表示指標ｉｒの設定変更値を求めることができる。実施形態の処理タイミングによれば、高速変動から中速変動への切り替えに際し、表示指標ｉｒの現在値が変動停止時に右図柄表示ＬＥＤ（Ｒ）に表示すべき図柄の表示指標ｒ２ｃよりも２図柄前の表示指標となるようにｉｒの値を設定変更することにより、変動停止時にｒ２ｃの図柄を得ることができる。従って、ＣＰＵ３２によるステップｃ５１の処理は変動図柄差し替え手段の一部である（図７参照）。
【００７０】
また、ステップｃ４９の判別結果が真となった場合、即ち、左図柄表示ＬＥＤ（Ｌ）の停止図柄と中図柄表示ＬＥＤ（Ｃ）の停止図柄とが一致しており、大当りの発生する可能性のある場合には、２図柄リーチ状態となる。ＣＰＵ３２は、右図柄に関する表示指標ｉｒの現在値を特定の値３に設定変更した後（ステップｃ５２）、変動時間用乱数記憶レジスタＲＡＮ２の値と変動停止時に表示すべき表示指標ｒ２ｃの情報に基いてｔｈ乃至ｔｊのパラメータを選択的に設定することとなる（ステップｃ５３〜ステップｃ５５）。
【００７１】
即ち、変動時間用乱数記憶レジスタＲＡＮ２の値が０であった場合には表６に示されるようなＲＯＭ３１の選択条件ファイルに基いて、変動停止時に表示すべき図柄の表示指標ｒ２ｃに対応する変動時間Ｃを選択してパラメータｔｈにｔｇ＋Ｃを設定し（ステップｃ５４）、また、変動時間用乱数記憶レジスタＲＡＮ２の値が１であった場合には表７に示されるようなＲＯＭ３１の選択条件ファイルに基いて、変動停止時に表示すべき図柄の表示指標ｒ２ｃに対応する変動時間Ｃを選択してパラメータｔｈにｔｇ＋Ｃを設定し、パラメータｔｈの値に予め決められた一定の値を加えてパラメータｔｉおよびｔｊの値を設定する（ステップｃ５５）。
【００７２】
【表６】
0003636296.tif 000007
【００７３】
【表７】
0003636296.tif 000008
【００７４】
従って、変動時間用乱数記憶レジスタＲＡＮ２の値が０で、かつ、変動停止時に表示すべき図柄の表示指標ｒ２ｃの値が０の場合であれば、変動時間Ｃとして表６から３．１０４ｓが選択され、パラメータｔｈの値はｔｇ＋Ｃ＝１０．０１６ｓとなり、また、変動時間用乱数記憶レジスタＲＡＮ２の値が１で、かつ、変動停止時に表示すべき図柄の表示指標ｒ２ｃの値が１５の場合であれば、変動時間Ｃとして表７から１１．０４０ｓが選択され、パラメータｔｈの値はｔｇ＋Ｃ＝１７．９５２ｓとなる。
【００７５】
つまり、ステップｃ５４およびステップｃ５５の処理は、ステップｃ１７，ステップｃ３３およびステップｃ５１に示される処理のように中速および低速時の変動時間を一定として変動停止時に表示すべき図柄の表示指標ｒ２ｃの値に対応して中速変動開始時における表示指標ｉｒの値を再設定するかわりに、中速変動開始時における表示指標ｉｒの値を特定の値に決めて変動停止時に表示すべき図柄の表示指標ｒ２ｃの値に対応して中速および低速の変動時間を設定するものであり、これらステップｃ５２，ステップｃ５４およびステップｃ５５の処理も変動図柄差し替え手段の一部である。なお、表６および表７に示す変動時間Ｃの値は実施形態の処理タイミングに基いて一例を示すものであり、変動時間等を制限するものではない。
【００７６】
そして、ステップｃ５４もしくはステップｃ５５の処理でｔｈ乃至ｔｊのパラメータを設定したＣＰＵ３２は、右図柄表示ＬＥＤ（Ｒ）の変動速度を高速変動から中速変動に切り替えた後（ステップｃ５６）、変動状態記憶フラグＦｂに７をセットして（ステップｃ５７）、この周期の処理を終了する。
【００７７】
変動状態記憶フラグＦｂに７がセットされる結果、次周期以降の処理では、ステップｃ１，ステップｃ９，ステップｃ２０，ステップｃ２５，ステップｃ３０，ステップｃ３６，ステップｃ４１，ステップｃ４６，ステップｃ５８の判別処理実行後、ＣＰＵ３２はステップｃ５９に移行し、以下、変動状態記憶フラグＦｂの現在値７に応じて、変動表示開始後の経過時間Ｔが設定値ｔｈに達するまでの間、ステップｃ１，ステップｃ９，ステップｃ２０，ステップｃ２５，ステップｃ３０，ステップｃ３６，ステップｃ４１，ステップｃ４６およびステップｃ５８乃至ステップｃ５９の判別処理と、右図柄表示ＬＥＤ（Ｒ）の中速変動と上図柄表示ＬＥＤ（Ｕ）の高速変動に関するステップｃ６０の処理を所定の処理周期で繰り返し実行することとなる。
【００７８】
このようにして各図柄の変動処理を繰り返し実行する間に変動表示開始後の経過時間Ｔが設定値ｔｈに達すると（ステップｃ５９）、ＣＰＵ３２は右図柄表示ＬＥＤ（Ｒ）の変動速度を中速変動から低速変動に切り替えると共に（ステップｃ６１）、変動状態記憶フラグＦｂに８をセットして（ステップｃ６２）、この周期の処理を終了する。
【００７９】
次周期以降の処理では変動状態記憶フラグＦｂの値が８となるから、ＣＰＵ３２はステップｃ１，ステップｃ９，ステップｃ２０，ステップｃ２５，ステップｃ３０，ステップｃ３６，ステップｃ４１，ステップｃ４６，ステップｃ５８，ステップｃ６３の判別処理実行後ステップｃ６４に移行し、以下、変動状態記憶フラグＦｂの現在値８に応じて、変動表示開始後の経過時間Ｔが設定値ｔｉに達するまでの間、ステップｃ１，ステップｃ９，ステップｃ２０，ステップｃ２５，ステップｃ３０，ステップｃ３６，ステップｃ４１，ステップｃ４６，ステップｃ５８およびステップｃ６３乃至ステップｃ６４の判別処理と、右図柄表示ＬＥＤ（Ｒ）の低速変動と上図柄表示ＬＥＤ（Ｕ）の高速変動に関するステップｃ６５の処理を所定の処理周期で繰り返し実行することとなる。
【００８０】
そして、経過時間Ｔが設定値ｔｉに達したことがステップｃ６４の判別処理で検出されると、ＣＰＵ３２は右図柄表示ＬＥＤ（Ｒ）の低速変動を停止し（ステップｃ６６）、変動状態記憶フラグＦｂに９をセットして（ステップｃ６７）、この周期の処理を終了する。右図柄表示ＬＥＤ（Ｒ）の低速変動が停止された時点で、右中図柄表示ＬＥＤ（Ｒ）には、右表示図柄記憶レジスタｒ２ｃに記憶された指標に対応する図柄が静止表示されることとなる。また、外部ノイズ等の影響で正常な表示制御が阻害された場合であっても、表示指標ｉｒの値と右図柄との関係は常に確保される。
【００８１】
次周期以降の処理では変動状態記憶フラグＦｂの値が９となるから、ＣＰＵ３２はステップｃ１，ステップｃ９，ステップｃ２０，ステップｃ２５，ステップｃ３０，ステップｃ３６，ステップｃ４１，ステップｃ４６，ステップｃ５８，ステップｃ６３，ステップｃ６８の判別処理実行後ステップｃ６９に移行し、以下、変動状態記憶フラグＦｂの現在値９に応じて、変動表示開始後の経過時間Ｔが設定値ｔｊに達するまでの間、ステップｃ１，ステップｃ９，ステップｃ２０，ステップｃ２５，ステップｃ３０，ステップｃ３６，ステップｃ４１，ステップｃ４６，ステップｃ５８，ステップｃ６３およびステップｃ６８乃至ステップｃ６９の判別処理と、上図柄表示ＬＥＤ（Ｕ）の高速変動に関するステップｃ７０の処理を所定の処理周期で繰り返し実行することとなる。
【００８２】
そして、経過時間Ｔが設定値ｔｊに達したことがステップｃ６９の判別処理で検出されると、ＣＰＵ３２は、左図柄表示ＬＥＤ（Ｌ）の表示指標ｉｌの現在値と中図柄表示ＬＥＤ（Ｃ）の表示指標ｉｃの現在値とが一致しているか否か、即ち、最終的に表示された左図柄表示ＬＥＤ（Ｌ）の停止図柄と中図柄表示ＬＥＤ（Ｃ）の停止図柄とが一致しているか否か（ステップｃ７１）、および、左図柄表示ＬＥＤ（Ｌ）の表示指標ｉｌの現在値と右図柄表示ＬＥＤ（Ｒ）の表示指標ｉｒの現在値とが一致しているか否か、即ち、最終的に表示された左図柄表示ＬＥＤ（Ｌ）の停止図柄と中図柄表示ＬＥＤ（Ｃ）の停止図柄および右図柄表示ＬＥＤ（Ｒ）の停止図柄が全て一致しているか否かを判別し（ステップｃ７５）、図柄の一致不一致に応じて、ｔｊ時以降の図柄変動処理に必要とされる各種のデータを設定することとなる。
【００８３】
まず、ステップｃ７１の判別結果が偽となった場合、即ち、左図柄表示ＬＥＤ（Ｌ）の停止図柄と中図柄表示ＬＥＤ（Ｃ）の停止図柄とが一致していない場合には、ＣＰＵ３２は、ステップｃ５０の処理で設定された変動時間の確定値ｔｋ，ｔｌに基き、上図柄表示ＬＥＤ（Ｕ）の変動停止時間ｔｌ時に上表示図柄記憶レジスタｒ３ｃの内部処理指標に対応する図柄が表示されるように、上図柄に関する表示指標ｉｕの値を設定変更して（ステップｃ７２）、上図柄表示ＬＥＤ（Ｕ）の変動速度を高速変動から中速変動に切り替えると共に（ステップｃ７３）、変動状態記憶フラグＦｂに１０をセットして（ステップｃ７４）、この周期の処理を終了する。
【００８４】
この場合、上図柄表示ＬＥＤ（Ｕ）の中速変動時間ｔｋ−ｔｊ＝Ｅの値と上図柄表示ＬＥＤ（Ｕ）の低速変動時間ｔｌ−ｔｋ＝Ｆの値は固定的であるから、上図柄表示ＬＥＤ（Ｕ）の変動停止時間ｔｌ時に上図柄表示ＬＥＤ（Ｕ）に表示すべき図柄の表示指標ｒ３ｃの情報のみに基いて、表示指標ｉｕの設定変更値を求めることができる。この場合は、左図柄表示ＬＥＤ（Ｌ）や中図柄表示ＬＥＤ（Ｃ）の場合と同様、変動停止時に表示すべき表示指標ｒ３ｃよりも２図柄前の値に表示指標ｉｕの値を設定変更することとなる。ＣＰＵ３２によるステップｃ７２の処理も変動図柄差し替え手段の一部である（図７参照）。
【００８５】
また、ステップｃ７１の判別結果が真であって、かつ、ステップｃ７５の判別結果が偽となった場合、即ち、左図柄表示ＬＥＤ（Ｌ）の停止図柄と中図柄表示ＬＥＤ（Ｃ）の停止図柄のみが一致している場合には、ＣＰＵ３２は、ステップｃ５４もしくはステップｃ５５で設定されたｔｊの値と予め決められた中速変動時間Ｅおよび低速変動時間Ｆに基いて変動時間ｔｋ，ｔｌを設定し（ステップｃ７６）、上図柄表示ＬＥＤ（Ｕ）の変動停止時間ｔｌ時に上表示図柄記憶レジスタｒ３ｃの内部処理指標に対応する図柄が表示されるように、上図柄に関する表示指標ｉｕの値を設定変更する（ステップｃ７２）。この場合も、上図柄表示ＬＥＤ（Ｕ）の中速変動時間Ｅの値と上図柄表示ＬＥＤ（Ｕ）の低速変動時間Ｆの値は固定的であるから、前記と同様、変動停止時に表示すべき表示指標ｒ３ｃよりも２図柄前の値に表示指標ｉｕの値を設定変更することにより所望の停止図柄を得ることができる。
【００８６】
なお、表５を用いて大当りとなる図柄の組合せについて前述したように、左図柄表示ＬＥＤ（Ｌ）の停止図柄と中図柄表示ＬＥＤ（Ｃ）の停止図柄が一致し、左図柄表示ＬＥＤ（Ｌ）の停止図柄と右図柄表示ＬＥＤ（Ｒ）の停止図柄が一致していない場合であっても、右図柄表示ＬＥＤ（Ｒ）の停止図柄が、左図柄表示ＬＥＤ（Ｌ）の停止図柄よりも１つだけ小さい場合に限り、大当りとなる図柄の一部に一致して大当りの発生する可能性があることとなる。
【００８７】
これに対し、ステップｃ７１およびステップｃ７５の判別結果が共に真となった場合、即ち、左図柄表示ＬＥＤ（Ｌ）の停止図柄と中図柄表示ＬＥＤ（Ｃ）の停止図柄および右図柄表示ＬＥＤ（Ｒ）の停止図柄が全て一致した場合には、大当りの発生する可能性があることとなる。ＣＰＵ３２はステップｃ７７に移行して、上図柄に関する表示指標ｉｕの現在値を特定の値１に設定変更した後、表８に示されるようなＲＯＭ３１の選択条件ファイルに基いて、変動停止時に表示すべき図柄の表示指標ｒ３ｃに対応する変動時間Ｅを選択してパラメータｔｋにｔｊ＋Ｅを設定し、更に、パラメータｔｋの値に予め決められた一定の値を加えてパラメータｔｌの値を設定する（ステップｃ７８）。
【００８８】
【表８】
0003636296.tif 000009
【００８９】
ステップｃ７７，ステップｃ７８の処理は、中速変動開始時における表示指標ｉｕの値を特定の値に決め、変動停止時に表示すべき図柄の表示指標ｒ３ｃの値に対応して中速および低速の変動時間を設定するものであり、その処理方式は、前記のステップｃ５２とステップｃ５４，ステップｃ５５の処理と同様であり、ステップｃ７７，ステップｃ７８の処理も変動図柄差し替え手段の一部である。なお、表８に示す変動時間Ｅの値は実施形態の処理タイミングに基いて一例を示すものであり、変動時間等を制限するものではない。
【００９０】
そして、ステップｃ７８の処理でｔｋ，ｔｌのパラメータを設定したＣＰＵ３２は、上図柄表示ＬＥＤ（Ｕ）の変動速度を高速変動から中速変動に切り替えると共に（ステップｃ７３）、変動状態記憶フラグＦｂに１０をセットして（ステップｃ７４）、この周期の処理を終了する。
【００９１】
変動状態記憶フラグＦｂに１０がセットされる結果、次周期以降の処理では、ステップｃ１，ステップｃ９，ステップｃ２０，ステップｃ２５，ステップｃ３０，ステップｃ３６，ステップｃ４１，ステップｃ４６，ステップｃ５８，ステップｃ６３，ステップｃ６８，ステップｃ７９の判別処理実行後、ＣＰＵ３２はステップｃ８０に移行し、以下、変動状態記憶フラグＦｂの現在値１０に応じて、変動表示開始後の経過時間Ｔが設定値ｔｋに達するまでの間、ステップｃ１，ステップｃ９，ステップｃ２０，ステップｃ２５，ステップｃ３０，ステップｃ３６，ステップｃ４１，ステップｃ４６，ステップｃ５８，ステップｃ６３，ステップｃ６８およびステップｃ７９乃至ステップｃ８０の判別処理と、上図柄表示ＬＥＤ（Ｕ）の中速変動に関するステップｃ８１の処理を所定の処理周期で繰り返し実行することとなる。
【００９２】
このようにして上図柄の中速変動処理を繰り返し実行する間に変動表示開始後の経過時間Ｔが設定値ｔｋに達すると（ステップｃ８０）、ＣＰＵ３２は上図柄表示ＬＥＤ（Ｕ）の変動速度を中速変動から低速変動に切り替えると共に（ステップｃ８２）、変動状態記憶フラグＦｂに１１をセットして（ステップｃ８３）、この周期の処理を終了する。
【００９３】
次周期以降の処理では変動状態記憶フラグＦｂの値が１１となるから、ＣＰＵ３２はステップｃ１，ステップｃ９，ステップｃ２０，ステップｃ２５，ステップｃ３０，ステップｃ３６，ステップｃ４１，ステップｃ４６，ステップｃ５８，ステップｃ６３，ステップｃ６８，ステップｃ７９，ステップｃ８４の判別処理実行後ステップｃ８５に移行し、以下、変動状態記憶フラグＦｂの現在値１１に応じて、変動表示開始後の経過時間Ｔが設定値ｔｌに達するまでの間、ステップｃ１，ステップｃ９，ステップｃ２０，ステップｃ２５，ステップｃ３０，ステップｃ３６，ステップｃ４１，ステップｃ４６，ステップｃ５８，ステップｃ６３，ステップｃ６８，ステップｃ７９およびステップｃ８４乃至ステップｃ８５の判別処理と、上図柄表示ＬＥＤ（Ｕ）の低速変動に関するステップｃ８６の処理を所定の処理周期で繰り返し実行することとなる。
【００９４】
次いで、経過時間Ｔが設定値ｔｌに達したことがステップｃ８５の判別処理で検出されると、ＣＰＵ３２は上図柄表示ＬＥＤ（Ｕ）の低速変動を停止し（ステップｃ８７）、上表示図柄記憶レジスタｒ３ｃに記憶された指標に対応する図柄を静止表示する。また、外部ノイズ等の影響で正常な表示制御が阻害された場合であっても、表示指標ｉｕの値と上図柄との関係は常に確保される。
【００９５】
そして、全ての図柄の変動表示を終了したＣＰＵ３２は、表示指標ｉｌ，ｉｃ，ｉｒ，ｉｕの現在値に基いて左，中，右，上の各図柄表示ＬＥＤ（Ｌ），（Ｃ），（Ｒ），（Ｕ）の組合わせが表５に示すような当り図柄の組合わせと一致しているか否かを判別し（ステップｃ８８）、当り図柄の組合わせであれば変動状態記憶フラグＦｂに１２を設定し（ステップｃ８９）、タイマＴａに点灯切替え周期を設定して計時を開始し（ステップｃ９０）、切替え回数記憶レジスタＣを初期化する（ステップｃ９１）。また、当り図柄の組合わせでなければ、状態記憶フラグＦａおよび変動状態記憶フラグＦｂの値を初期化して（ステップｃ９２，ステップｃ９３）、この周期の処理を終了する。ＣＰＵ３２によるステップｃ８８の判別処理は実質上の最終判定手段である（図７参照）。
【００９６】
この実施形態においては左，中，右第１種始動口１６，３，１７への入賞検出時におけるステップａ１２の処理で大当り用乱数記憶レジスタＲＡＮ１の現在値が確定乱数記憶レジスタＲｉに記憶された時点で確定乱数記憶レジスタＲｉの値が設定値７と一致するか否かによって大当りの発生の有無が既に決定され、また、ステップｃ１７の処理で左図柄表示ＬＥＤ（Ｌ）の中速変動表示が開始される時点ではステップｃ１４乃至ステップｃ１６の処理により大当り図柄の組合わせや外れ図柄の組合わせが確定されているが、外部ノイズ等の影響で正常な表示制御が阻害され、最終的に表示される図柄に狂いが生じることも考えられる。
【００９７】
しかし、本実施形態においては、最終的な図柄組合わせの判定に際し、予め確定された図柄組合わせのかわりに、変動表示停止時の図柄に対応する表示指標ｉｌ，ｉｃ，ｉｒ，ｉｕの現在値を用いるにようにしているので、表示図柄に狂いを生じたような場合であっても、実際に表示された図柄の組合わせに対応した的確な判定を行うことができる。
【００９８】
実施形態において大当りの発生する確率は、大当りに対応する設定値の範囲を大当り用乱数記憶レジスタＲＡＮ１の値域で除した値であり、この例では、大当りに対応する設定値の値が７のみであって、大当り用乱数記憶レジスタＲＡＮ１の取り得る値が０乃至２０４の整数であるから、大当りの発生する確率は１／２０５（０．９７５／２００）となる。従って、表１乃至表４に示される各図柄を表記した４つの回転ドラムを有し、表５に示すような条件を当り図柄の組合わせとして設定した機械式回転ドラム型の図柄表示装置の大当り発生確率７０／１４４００（０．９７２／２００）と略一致するが、ステップａ２の判別処理で用いられる比較値の値を変更したり、ステップｃ１４の判別処理で用いられる比較値の値を領域として設定したりすることにより、大当りの発生確率を任意に操作することができる。
【００９９】
例えば、ステップａ２の判別処理で用いられる比較値の値を２１０とすれば大当りの発生する確率は１／２１０（０．９５２／２００）となり、また、ステップｃ１４の判別処理で用いられる比較値の値Ｘを５＜Ｘ＜８の領域として設定すると大当りの発生する確率は２／２０５（１．９５１／２００）となる。
【０１００】
このような操作は大当りの発生する確率に影響を与えるのみであって、大当り図柄や外れ図柄の内容自体はタスク２の処理により、左，中，右，上大当たり図柄データ記憶レジスタｒ０ａ乃至ｒ３ａおよび左，中，右，上外れ図柄データ記憶レジスタｒ０ｂ乃至ｒ３ｂの各々にランダムに設定されるから、特定の図柄の組合わせが出易くなるようなことはなく、違和感がない。
【０１０１】
そして、最終的な表示図柄の組合わせが大当りとなった場合、次周期以降の処理では変動状態記憶フラグＦｂの値が１２となるから、ＣＰＵ３２はステップｃ１，ステップｃ９，ステップｃ２０，ステップｃ２５，ステップｃ３０，ステップｃ３６，ステップｃ４１，ステップｃ４６，ステップｃ５８，ステップｃ６３，ステップｃ６８，ステップｃ７９，ステップｃ８４の判別処理実行後ステップｃ９４に移行し、以下、タイマＴａの設定時間が経過する毎にステップｃ９５乃至ステップｃ９８の表示切り替え処理を繰り返し実行することとなる。
【０１０２】
表示切り替え処理を開始したＣＰＵ３２は切替え回数記憶レジスタＣの値をインクリメントした後（ステップｃ９５）、表示切替え処理の実行回数が設定値Ｎに達したか否かを判別し（ステップｃ９６）、表示切替え処理の実行回数が設定値Ｎの範囲内にあれば、以下、タイマＴａの設定時間が経過する毎に、ドットマトリクスＬＥＤ表示体２２の図柄表示ＬＥＤ（Ｌ），（Ｃ），（Ｒ）とドットマトリクスＬＥＤ表示体２３の図柄表示ＬＥＤ（ｌ），（ｃ），（ｒ）との間で大当り図柄の表示出力を交互に切り替えて、あたかも大当り図柄が前後に移動しているように表示し（ステップｃ９７）、タイマＴａに点灯切替え周期を再設定して（ステップｃ９８）、切替え回数記憶レジスタＣの値が設定値Ｎに達するまでの間、この表示切り替え処理を繰り返し実行する。
【０１０３】
そして、表示切り替え処理の実行回数が設定値Ｎに達したことがステップｃ９６の判別処理で検出されると、ＣＰＵ３２は切替え回数記憶レジスタＣおよび変動状態記憶フラグＦｂの値を初期化し（ステップｃ９９，ステップ１００）、状態記憶フラグＦａに２を設定して（ステップ１０１）、大入賞口１５の開放に関するタスク４の処理の実行を許可する。なお、切替え回数記憶レジスタＣの値が設定値Ｎに達した段階では大当りの図柄表示がドットマトリクスＬＥＤ表示体２３の側に復帰する。
【０１０４】
図２１はタスク４の処理の概略を示すフローチャートである。状態記憶フラグＦａに２が設定されると、ＣＰＵ３２はステップｄ１の判別処理実行後ステップｄ２に移行し、ソレノイド等で開閉駆動されるアタッカ状の大入賞口１５の開閉操作を開始し、所定の開放時間の経過もしくは大入賞口１５への遊技球の入賞個数の検出等に基く開閉動作の終了条件が成立するまでの間、所定の処理周期でステップｄ２の開閉処理を繰り返し実行し、ステップｄ３の判別処理で終了条件の成立が検出されると、ステップｄ４の処理で大入賞口１５を閉鎖して１開放動作を終了し、ステップｄ５の処理で状態記憶フラグＦａの値を初期化する。
【０１０５】
タスク３またはタスク４の処理で状態記憶フラグＦａの値が初期化される結果、次周期以降のステップｃ１およびステップｃ２の判別結果は共に偽となり、記憶状態識別フラグＦ０の値が再度ＣＰＵ３２により検出されることとなる（ステップｃ３）。
【０１０６】
従って、左，右，中第一種始動口１６，３，１７への再度の入賞検出により確定乱数記憶レジスタＲ０に乱数が新たに記憶された場合や、複数の入賞検出によって確定乱数記憶レジスタＲ１以降に記憶された値がシフトされたような場合には、ステップｃ４以降の処理により再度の図柄合わせ処理が、第１回目を含め、最高４回まで続けて開始されることとなる。
【０１０７】
【発明の効果】
請求項１に記載の構成によれば、図柄表示制御手段は、判定手段による判定結果がはずれであり、はずれ停止図柄組合せの設定を行う場合には、はずれ図柄組合せ記憶手段に記憶されているはずれ図柄組合せを設定し、該はずれ図柄組合せが停止表示されるように制御する一方、設定された停止図柄組合せが予め定めたリーチ状態となる場合には、第１のリーチ状態で図柄を変動表示した後、第１のリーチ状態におけるはずれ図柄組合せを表示し、その後第２のリーチ状態で図柄を変動表示した後で、設定された停止図柄組合せが停止表示されるように制御するので、はずれ図柄を停止表示する場合に図柄表示制御手段による図柄変動表示処理とは別のタイミングで実行される別処理によって作成記憶されているはずれ図柄がそのまま使用されるので、変動中に停止図柄を選択したり停止図柄の補正を行ったりする面倒な処理を行う必要がなく確実にはずれ図柄の停止表示を行うことができる。また、設定された停止図柄組合せが予め定めたリーチ状態となる場合には、２段階のリーチ状態を表示し得るので、遊技者の大当りに対する期待感を維持させることができ、遊技の興趣を向上させることができる。
【図面の簡単な説明】
【図１】  本発明の一実施形態におけるパチンコ機の図柄表示装置の要部を示す側断面図
【図２】  同実施形態のパチンコ機の図柄表示装置を装着した遊技盤を示す正面図
【図３】  同実施形態の図柄表示手段の一部を構成するドットマトリクスＬＥＤ表示体を示す平面図
【図４】  同実施形態の図柄表示手段の一部を構成する別のドットマトリクスＬＥＤ表示体を示す平面図
【図５】  ドットマトリクスＬＥＤ表示体の視認状態の一例を示す図
【図６】  同実施形態のパチンコ機の図柄表示装置の制御部を示す要部ブロック図
【図７】  機能実現手段としてのＣＰＵを示す機能ブロック図
【図８】  同実施形態のＣＰＵによる処理の一部を示すフローチャート
【図９】  同実施形態のＣＰＵによる処理の一部を示すフローチャート
【図１０】  同実施形態のＣＰＵによる処理の一部を示すフローチャート
【図１１】  同実施形態のＣＰＵによる処理の一部を示すフローチャート
【図１２】  同実施形態のＣＰＵによる処理の一部を示すフローチャート
【図１３】  同実施形態のＣＰＵによる処理の一部を示すフローチャート
【図１４】  同実施形態のＣＰＵによる処理の一部を示すフローチャート
【図１５】  同実施形態のＣＰＵによる処理の一部を示すフローチャート
【図１６】  同実施形態のＣＰＵによる処理の一部を示すフローチャート
【図１７】  同実施形態のＣＰＵによる処理の一部を示すフローチャート
【図１８】  同実施形態のＣＰＵによる処理の一部を示すフローチャート
【図１９】  同実施形態のＣＰＵによる処理の一部を示すフローチャート
【図２０】  同実施形態のＣＰＵによる処理の一部を示すフローチャート
【図２１】  同実施形態のＣＰＵによる処理の一部を示すフローチャート
【図２２】  乱数ホールド手段としての確定乱数記憶レジスタＲｉの記憶動作を示す作用原理図
【図２３】  同実施形態のパチンコ機の図柄表示装置における図柄変動処理を示すタイミングチャート
【符号の説明】
１  遊技盤
２  図柄表示装置の要部を構成する図柄表示ユニット
３  始動信号発生手段としての中第１種始動口
１６  始動信号発生手段としての左第１種始動口
１７  始動信号発生手段としての右第１種始動口
２２  図柄表示手段を構成するドットマトリクスＬＥＤ表示体
２３  図柄表示手段を構成するドットマトリクスＬＥＤ表示体
３２  機能実現手段としてのＣＰＵ
ｒ０  組合わせ図柄発生手段を構成する左図柄データ記憶レジスタ
ｒ１  組合わせ図柄発生手段を構成する中図柄データ記憶レジスタ
ｒ２  組合わせ図柄発生手段を構成する右図柄データ記憶レジスタ
ｒ３  組合わせ図柄発生手段を構成する上図柄データ記憶レジスタ
ｒ０ａ  当り図柄記憶手段を構成する左大当り図柄データ記憶レジスタ
ｒ１ａ  当り図柄記憶手段を構成する中大当り図柄データ記憶レジスタ
ｒ２ａ  当り図柄記憶手段を構成する右大当り図柄データ記憶レジスタ
ｒ３ａ  当り図柄記憶手段を構成する上大当り図柄データ記憶レジスタ
ｒ０ｂ  外れ図柄記憶手段を構成する左外れ図柄データ記憶レジスタ
ｒ１ｂ  外れ図柄記憶手段を構成する中外れ図柄データ記憶レジスタ
ｒ２ｂ  外れ図柄記憶手段を構成する右外れ図柄データ記憶レジスタ
ｒ３ｂ  外れ図柄記憶手段を構成する上外れ図柄データ記憶レジスタ
ＲＡＮ１  乱数発生手段を構成する大当り用乱数記憶レジスタ
Ｒｉ  乱数ホールド手段を構成する確定乱数記憶レジスタ
ｒ０ｃ  最終表示図柄記憶手段を構成する左表示図柄記憶レジスタ
ｒ１ｃ  最終表示図柄記憶手段を構成する中表示図柄記憶レジスタ
ｒ２ｃ  最終表示図柄記憶手段を構成する右表示図柄記憶レジスタ
ｒ３ｃ  最終表示図柄記憶手段を構成する上表示図柄記憶レジスタ
ｉｌ  表示指標
ｉｃ  表示指標
ｉｒ  表示指標
ｉｕ  表示指標
【図１】
0003636296.tif 000010
【図２】
0003636296.tif 000011
【図３】
0003636296.tif 000012
【図４】
0003636296.tif 000013
【図５】
0003636296.tif 000014
【図６】
0003636296.tif 000015
【図７】
0003636296.tif 000016
【図８】
0003636296.tif 000017
【図９】
0003636296.tif 000018
【図１０】
0003636296.tif 000019
【図１１】
0003636296.tif 000020
【図１２】
0003636296.tif 000021
【図１３】
0003636296.tif 000022
【図１４】
0003636296.tif 000023
【図１５】
0003636296.tif 000024
【図１６】
0003636296.tif 000025
【図１７】
0003636296.tif 000026
【図１８】
0003636296.tif 000027
【図１９】
0003636296.tif 000028
【図２０】
0003636296.tif 000029
【図２１】
0003636296.tif 000030
【図２２】
0003636296.tif 000031
【図２３】
0003636296.tif 000032